(57)【要約】【課題】表示できる文字の増加の為、本体に設置した複数の切替スイッチで表示文字パターンを選択し、リモコンに設置されたボタンにより表示文字を選択し速やかに必要な使用したい文字を表示し得る車載用電光表示装置を得る。【解決手段】複数の文字を複数パターン設定し、複雑なリモコン操作不要で使用したい文字を速やかに表示させ幅広い用途に使用でき、あらゆる角度の取付面に工具等を用いず設置可能に設定したものである。【選択図】図１
2009132362.tif 000002
【特許請求の範囲】
【請求項１】
送信機ｋ１０より送信される複数パターンの電波の１つを受信機ｋ３がアンテナｋ９を経由して受信し、マイクロプロセッサーｋ４を駆動させ、予め文字選択手段ｋ６により表示文字を複数選択しておき、その選択に基づいた文字表示が前記マイクロプロセッサーｋ４の指示により文字表示手段駆動回路ｋ５を駆動させる事により文字表示ディスプレーｋ８を点滅させ、前記文字表示ディスプレーｋ８の点滅による動作を状況表示手段ｋ７が同時点滅して本体ｃ背面で視認する事ができ、前記受信機ｋ３、前記マイクロプロセッサーｋ４、前記文字表示手段駆動回路ｋ５、前記文字選択手段ｋ６、前記状況表示手段ｋ７、前記文字表示ディスプレイパネルｋ８の駆動には電源ｋ１により入力された幾ボルトの電源を減圧及び調整回路ｋ２により指定ボルトに整流され駆動電源として使用する事を特徴とする車載用表示装置。
【請求項２】
車両側より字幕内容選択手段ｋ６に発せられた複数の駆動回路を前記マイクロプロセッサーｋ４に伝達し前記状況表示手段ｋ７、前記文字表示手段駆動回路ｋ５へ指示を出し前記文字表示ディスプレイパネルｋ８へ文字等を表示させる事を特徴とする切替式車載用電光表示装置。
【発明の詳細な説明】
【技術分野】
【０００１】切替式車載用電光表示装置に関する。
【背景技術】
【０００２】
【特許文献１】  特願平１１−５７４３９  特願２００３−３７５７６４
【０００３】従来、固定文字の表示やリモコンで文字を入力し表示する表示板があった。
【発明の開示】
【発明が解決しようとする課題】
【０００４】従来の車載用電光表示板は表示文字が固定され複数表示出来ない為、使用できる状況や職種等が限られ、幅広い用途や目的には使用し難かった。又、リモコンで文字を入力し表示させる表示板があるがリモコンに設置されている文字入力ボタンが非常に多数で、リモコン本体も非常に大きく、必要な時に必要な表示をさせる操作が大変困難であった。又、取り付けする際、工具を必要とした。
【課題を解決するための手段】
【０００５】表示文字数を増やす為、本体に設置された複数の切り替えスイッチにて複数の表示パターンを選択し、送信基板の文字表示選択ボタンを選択する事で受信基板が電波を受け付け記憶媒体を動作させ指示により文字表示手段で作成された文字列を点滅させる。本体に切り替えスイッチを設け複数パターンの表示を可能にし、複雑なリモコンの操作をワンタッチ簡易化した。【０００６】更にリモコンを使用せず必要な文字を表示させる為、車両側動作信号線を利用し複数動作に最適な文字表示を表示させる事を可能にした。
【発明の効果】
【０００７】表示文字が予めの複数の切り替えにより多数の文字表示が簡単な操作で表示可能になり、幅広い職種・用途に使用でき、本体に角度調整式取り付けステーを設置した事により様々な角度の取付面への取り付けが工具など不要で可能になった。【０００８】また、車両側の動作信号線を利用する事によりリモコン操作が不要になり車両の動作状況に応じ最適な文字表示が可能になった。
【発明を実施するための最良の形態】
【０００９】図２は本発明の切替式表示装置のスクリーン駆動回路図である。
ｓ１はディスプレー駆動のＩＣ信号制御ピンでありＭＰＵで制御するディスプレーＩＣの信号をコントロールする。ｓ２はディスプレースクリーンＸ軸出力制御（４８）ピンであり、ディスプレースクリーンＸ軸をスキャンして出力用コントロールする。ｓ３はディスプレー駆動ＩＣ１であり文字表示ディスプレースクリーンＸ軸を制御する駆動ＩＣ（１〜２４段）である。ｓ４はディスプレー駆動ＩＣ２であり文字表示ディスプレースクリーンＸ軸を制御する駆動ＩＣ（２５〜４８段）である。【００１０】図３は本発明の切替式表示装置のパワー減圧回路図である。
ｐ１は整流器でありプラス、マイナス電源の間違いでも受け付ける。ｐ２はレギュレータＩＣであり幾ボルトの電圧を調整する。ｐ３はディスプレー駆動電路トランジスタ電源スイッチであり待機時マイクロプロセッサー（ＭＰＵ）でディスプレー駆動電路ＩＣの電源をＯＦＦし待機電力の節約する。ｐ４はディスプレー駆動電路トランジスタ電源スイッチ制御でありＭＰＵが低電位を送る時だけディスプレー駆動電路トランジスタ電源は動作し代えて電源はＯＦＦにし定期電力の節約を行う。【００１１】本体（ｃ）に設置した（ｂ）の角度調整ステーを車輌の取付面の角度に合う様調整し前記角度調整ステー（ｂ）に設けられた吸着盤（ａ）を車輌の取付面に吸着させ取り付けを行う。【００１２】送信機に設けられた表示文字選択ボタンのいずれかを押す事により表示文字選択信号が送信回路より送信され、送信された信号は本体受信回路により受信され選択信号別にマイクロプロセッサーユニットへ指示を出す。予め本体ユニットの文字表示パターン切り替え手段により選択されているパターンの文字列複数のうち指示を受けた文字列を点滅させる。
それぞれの文字列のうち、特定のボタンは選択信号受信時のみ数回点滅の後、消灯する様にメモリーしてある。その他は常時点滅、次の信号入力が入力されるまで消灯しない。又、強制点滅回路によりアース信号入力が入力されると送信機の操作に関係なく「乗降中」の文字列が点滅し入力が無くなれば消灯する。又、本体基板ユニットに形成される【００１３】ｋ１０の無線式送信機を有線式にする事も可能であり、無線式送信機の電池切れによる操作不能状態を回避する事もできる。又、ｋ５の駆動回路部に個別スイッチを設け操作が出来る様な構造も可能である。【００１４】ｋ５及びｋ８の駆動回路及びディスプレイパネルをダイレクト源いわゆる制動灯電源、後退電源、非常点滅表示灯電源を直接駆動回路へ入力する事により無線又はスイッチを不要とした駆動方法もとる事が出来るものとする。【００１５】上記〔００１３〕・〔００１４〕の様に主たる電源の入力先の変更等により様々な使用方法が考えられる。
【図面の簡単な説明】
【図１】本発明の回路図
【図２】本発明のスクリーン駆動回路図
【図３】本発明のパワー減圧回路図
【図４】
【図５】
【図６】本発明の外観図
【図７】本発明の文字表示パターン参考図
【図８】本発明の送信機外観図
【図９】本体参考斜視図１
【図１０】本体参考斜視図２
【図１１】本体設置参考図
【図１】
2009132362.tif 000003
【図２】
2009132362.tif 000004
【図３】
2009132362.tif 000005
【図４】
2009132362.tif 000006
【図５】
2009132362.tif 000007
【図６】
2009132362.tif 000008
【図７】
2009132362.tif 000009
【図８】
2009132362.tif 000010
【図９】
2009132362.tif 000011
【図１０】
2009132362.tif 000012
【図１１】
2009132362.tif 000013
【手続補正書】
【提出日】平成20年6月12日(2008.6.12)
【手続補正１】
【補正対象書類名】明細書
【補正対象項目名】００１５
【補正方法】変更
【補正の内容】
【００１５】
上記〔００１３〕・〔００１４〕の様に主たる電源の入力先の変更等により様々な使用方法が考えられる。
【図面の簡単な説明】
【図１】本発明の回路図
【図２】本発明のスクリーン駆動回路図
【図３】本発明のパワー減圧回路図
【図４】本発明の有線時における参考図
【図５】本発明の直接電源入力時における入力先参考図
【図６】本発明の外観図
【図７】本発明の文字表示パターン参考図
【図８】本発明の送信機外観図
【図９】本体参考斜視図１
【図１０】本体参考斜視図２
【図１１】本体設置参考図